(57)【要約】【課題】  ひび、あかぎれの防止を課題とする。【解決手段】  電極電位の異なる金属および炭素材料から、少なくとも２種類を選び、これを層状の形でシート状に複合化し、足裏に合わせた形状に加工する。【選択図】図１
0003121849.tif 000002
【実用新案登録請求の範囲】
【請求項１】
電極電位の異なる少なくとも２種類の材料が、互いに近接してシート状に複合化され、足裏の形に加工された、ひび、あかぎれを防止するための構造体
【考案の詳細な説明】
【技術分野】
【０００１】  本考案は、足裏付近に発生するひび、あかぎれの防止用具の構造に関する。
【背景技術】
【０００２】  ひび、あかぎれは、足裏に発生する皮膚の裂ける現象である。この現象の防止法としては、各種外用剤が主として用いられている。このほかアルカリ電解水を塗る事なども提案されている。しかし多くの人は痛みも少なく、外見上も靴や靴下に隠されて見え難いので完治しないまま放置しているのが実情である。
【特許文献】  特願平６−２６１９４６  特願平７−３４１７０６  特願平１０−１３２８４  特願平７−１７５９６８  実用新案登碌０７−３１０８８５９
【考案の開示】
【考案が解決しようとする課題】
【０００３】  足裏のひび、あかぎれを防止する事を課題とする。
【課題を解決するための手段】
【０００４】  電極電位の異なる金属およびその合金は、互いに近接させると電子の授受が起こり、電位の低い金属は酸化される。この時僅かながら発熱する。炭素材料は金属ではないが、導電性を有し電極電位も金属と同じように生じて、近接して対となった金属は酸化される。特に僅かでも水分が存在すると、この現象は促進される。ここで酸化される側の金属の表面近傍には負に帯電した電子が発生し、対する金属または炭素材料の方に移動する。酸化された金属は次第に脱落し、負の電荷を帯びた電子が両金属表面近傍に豊富となる。このような環境が足裏の皮膚付近に生じると、足裏の温度の上昇と相俟って皮膚付近に体液が滲出し湿り気の多い状態になる。実験の結果、マグネシュウム、アルミニウム、チタン、亜鉛、クローム、鉄、ニッケル、錫、鉛、銅、銀、パラジュウム、白金、金およびこれらの金属の合金を２種類選び、互いに近接させ複合化したシート状の構造体を足裏に装着したとき、足裏は湿気を帯び、その附近のひび、あかぎれは消失する事が分った。また炭素繊維や黒鉛および木炭などの炭素材料も有効であった。上記の材料の中でも、経済性や衛生面からは、亜鉛、チタン、アルミニウム、鉄、錫、などの金属およびそれらの合金ならびに炭素材料を組み合わせた複合化構造体が好適である。高価な点を厭わなければ白金、金、銀も好適な材料となる。２種類の材料の組み合わせは、亜鉛、チタン、アルミニウム、鉄のＡ群と鉄、銀、白金、金、炭素材料のＢ群からそれぞれ１種類の材料を選ぶ。Ｂ群から選ばれた材料は、Ａ群から選ばれた材料より電極電位が高くなる様に組み合わせる。銅は有効な材料では有るが、着色作用があり除いた。３種類以上の金属を選んでも効果はあるが、電子の授受は主として電位差の最も大きい２物質間で実質的に行われるので、少なくともＡおよびＢ群から選ばれた２種類の材料を近接させて複合化することが必要条件となる。この複合化された構造体を足裏に装着すると、その付近は足裏から分泌される体液により湿気の多い状態となり、ひび、あかぎれは自然に消失する。従来から用いられている皮膚外用剤を併用してもよいが、自己の分泌する体液の保湿効果だけで、殆どのひび、あかぎれは消失した。但し皮下組織が露出したような、程度の甚だしいひび、あかぎれは、専門家の治療後本考案の複合構造体を適用する必要がある。【０００５】  この２種類の材料は、薄板、箔、網、小孔のあいた薄板、織布、不織布および粉末をペースト状にしたものが使える。複合化した後の厚さは約１ｍｍ以下が好ましい。足裏は凹凸があり、また親指関節付近は屈曲するので足裏の形状や動作に追従できるようにするためである。屈曲部は、複合体の柔軟性によって対応するほか、その部分を簡単な蝶番構造にして対応する。例えば親指関節付近の構造体を前後に切り離し、柔軟な布テープで切り離した部分を再接続する。また炭素材料は、柔軟性の有る塗料やペーストに加工し易く、親指関節部の動きに追随でき易い。選ばれた２種の材料は近接して複合体とする。近接距離は、１ｍｍ程度以下が好ましい。その方法は、層状に重ねる方法が簡便である。この層状に複合化したものを足裏の形にして装着する。層状に複合化したテープを足裏に装着してもよい��この場合は、アルミニウム箔やステンレス箔などの薄い材料を使用する。このほか網や小孔をあけた材料を層状に複合化してもよい。複合化は、互いに近接させる事によって行われるが、全面を近接させても部分的に近接させてもよい。この近接部には出来るだけ水分が入りこむように、複合体の足裏面は孔があけられていると都合がよい。その意味では網や小孔のあいた薄板が適している。炭素材料は粉状のものを膠のような接着剤やゲルなどの保湿剤を含む粘着剤でペースト状にし、アルミニウム箔などに塗装して使うか、皮膚などの対象物に塗布した上にアルミニウム箔を被せてもよい。この時、塗膜に基材として布を介在させると、補強および水分の保湿を助けるのに効果がある。炭素繊維はシート状のものを箔と同じ様に使用する。【０００６】  この複合構造体は靴の中に予め固定して用いたり、中敷きとして用いたり、靴下の中に入れて用いる事によって足裏に装着させる。靴の中に固定する時は、複合化された構造体を靴底の成形時に埋設するのが便利である。複合構造体は、足裏の形状に合わせて船底形にする。足の指周りは足袋のような袋状にする事も可能である。天然繊維または合成繊維の表面に金属を配したものも使用出来る。この場合は、靴下の足裏部分に編み込んだ形の複合構造体とするとよい。２種の金属の繊維を混在させた不織布をシート状に加工して使用することもできる。近接させる２種の材料は、互いにに動き難いように固定する。その方法としては、粘着テープを使用して動かないようにするのが簡便である。固定のために粘着剤や接着剤を使用する時は、膠、澱粉系あるいはビニル系などの合成樹脂系粘着剤や接着剤を出来るだけ少量用いる。ゲルなどの保水性物質も含ませると効果がある。非水溶性の粘着剤や接着剤も少量は使用可能である。
箔状のものは、破れたり、消失したりするので、厚さは０．１ないし０．３ｍｍは必要である。包帯のようにして使う時は、これより薄いものも使用可能であるが、この時にはプラスチックフイルムで補強して使うとよい。箔以外の材料は、消耗は極めて少なく半永久的に使う事が出来る。層状に積層された材料の界面は、互いに接触または接触に近い状態か、中間に紙または布、吸水性合成樹脂シートなどのシート状材料を介在させた状態にする事も可能である。複合構造体の端部は、プラスチック製の押えカバーを取りつけて保護する。特に布状や網状の複合体は、端部のほつれ現象を防ぐ必要がある。
【考案の効果】
【０００７】  本考案の複合構造体は、課題とするひび、あかぎれの防止に著効を発揮する。従来の皮膚外用剤やアルカリ電解水に無い即効性と有効性、持続性が得られる。使用中に生ずる湿気は、臭気やぬめりなども起こさない。
【考案を実施するための最良の形態】
【０００８】  以下具体的な実施例で説明する。
径０．３ｍｍのアルミニウム線とステンレス線をそれぞれ３０メッシュの網に加工する。この網を足型に裁断し、互いに積層して、端部を幅５ｍｍ、厚さ１．５ｍｍのポリエチレン樹脂製端部カバーで覆い、端部金属線の解れが起こらない様にする。この平らな複合体を足型のかかとの形状に型押して成形する。これを靴の中、または靴下内に入れて履く。これを昼間だけ使用し、約２日から７日でひびや軽度のあかぎれは消滅した。
【産業上の利用可能性】
【０００９】  本考案は、互いに近接した２種類の材料が電子を授受して出来る特殊な環境を利用して自己の体液を分泌させ、この湿気によってひび、あかぎれを防ぐというものである。効果は持続的であり、見た目にも人々の清潔感を刺激して市場に広く受け入れられると考えている。
【図面の簡単な説明】
【００１０】
【図１】足裏靴下面に装着された複合構造体の長手方向断面図の例である。
【図２】複合構造体の上面図の例である。
【図３】蝶番構造をもつ複合構造体の側断面図の例である。
【符号の説明】
【００１１】  １    足裏靴下面
２    アルミニウム薄板  厚さ０．５ｍｍ  材質１０５０Ｈ２４
３    ステンレス箔      厚さ０．１ｍｍ  材質ＳＵＳ４３０
４    布テープ          日東電工製包装用テープ
５    孔あきアルミニウム薄板  厚さ０．５ｍｍ  材質１０５０Ｈ２４
６    小孔      径１ｍｍ
７    蝶番用切離し部
８    蝶番用テープ      日東電工製包装用布テープ
【図１】
0003121849.tif 000003
【図２】
0003121849.tif 000004
【図３】
0003121849.tif 000005